(57)【要約】【課題】電話機能切り替えを簡単に行なうことができるようにする。【解決手段】電話通信システム１は、同一の電話番号での電話機能が択一的に有効化される携帯電話装置２と、車載通信装置４と、これらの装置２、４と無線通信可能で、前記いずれかの装置２、４に前記電話機能を択一的に有効化する基地局５とを備え、前記装置２、４に、前記電話機能が有効化されている状態で電源をオフする信号が入力されたときに、電話機能を切り替えるための切替指令を、前記基地局５に送信する切替指令送信手段を設け、前記基地局５に、前記切替指令を受信したときに他方の装置に電話機能有効化の設定をする有効化切替手段を設けている。【選択図】図１
2007228236.tif 000002
【特許請求の範囲】
【請求項１】
同一の電話番号での電話機能が択一的に有効化される一対の通信装置と、この一対の通信装置と無線通信可能で、前記いずれかの通信装置に前記電話機能を択一的に有効化する基地局とを備えた電話通信システムであって、
前記一対の通信装置の少なくとも一方に、前記電話機能が有効化されている状態で電源をオフする信号が入力されたときに、電話機能を他方の通信装置に切り替えるための切替指令を、前記基地局に送信する切替指令送信手段を設け、
前記基地局に、前記切替指令を受信したときに前記他方の通信装置に電話機能有効化の設定をする有効化切替手段を設けたことを特徴とする電話通信システム。
【請求項２】
請求項１に記載の電話通信システムにおいて、
一対の通信装置のうち一方は、携帯電話装置であり、他方は車載通信装置であることを特徴とする電話通信システム。
【請求項３】
請求項１又２に記載の電話通信システムにおいて、
前記通信装置は表示手段を備え、
電話機能が無効化された通信装置は、電話機能無効の旨を前記表示手段に表示することを特徴とする電話通信システム。
【請求項４】
請求項１ないし３のいずれかに記載の電話通信システムにおいて、
前記通信装置は表示手段を備え、
前記有効化切替手段は、前記切替指令を受信したときに他方の通信装置に電話機能有効化の設定をする他、当該他方の通信装置に電話機能有効化通知を送信し、
この電話機能有効化通知を受信した通信装置は、電話機能有効の旨を前記表示手段に表示することを特徴とする電話通信システム。
【請求項５】
他の通信装置と同一の電話番号での電話機能が択一的に有効化可能で、自通信装置あるいは前記他の通信装置からの切替指令を受けた基地局を介して当該電話機能の切替が行なわれる通信装置であって、
前記電話機能が有効化されている状態で電源をオフする信号が入力されたときに電話機能を他の通信装置に切り替えるための切替指令を前記基地局に送信する切替指令送信手段を備えたことを特徴とする通信装置。
【請求項６】
請求項５に記載の通信装置において、
表示手段を備え、
電話機能が無効化されたときに電話機能無効の旨を前記表示手段に表示することを特徴とする通信装置。
【請求項７】
請求項５又は６に記載の通信装置において、
表示手段を備え、
電話機能無効化状態で前記基地局から電話機能有効化のための通知が与えられると、電話機能有効の旨を前記表示手段に表示することを特徴とする通信装置。
【発明の詳細な説明】
【技術分野】
【０００１】
本発明は、同一の電話番号での電話機能が択一的に有効化される一対の通信装置を備えた電話通信システム及び同一の電話番号での電話機能が択一的に有効化・無効化される通信装置に関する。
【背景技術】
【０００２】
従来、同一の電話番号での電話機能が択一的に有効化される一対の通信装置と、この一対の通信装置と無線通信可能で、前記いずれかの通信装置に前記電話機能を択一的に有効化する基地局とを備えた電話通信システム（例えば特許文献１）がある。このものでは、例えば一方の通信装置を携帯電話装置とし、他方の通信装置を車両に搭載された車載通信装置としている。この通信システムでは、携帯電話装置に電話機能が有効化されている状態から、その電話機能を車載通信装置に移行する場合には、例えば携帯電話装置において特定キー操作をすることにより、電話機能を切り替えるための指令を基地局に送信するようにしている。
【０００３】
そして、この基地局では、電話機能切り替えの指令を受けると、携帯電話装置の電話機能を無効化し、且つ車載通信装置に当該電話機能を有効化して、当該車載通信装置を自動車電話として使用可能とする。
なお、逆に車載通信装置から携帯電話装置へ電話機能を切り替える場合には、例えば当該携帯電話装置を特定キー操作して、電話機能切り替えのための指令を基地局に送信し、基地局では、車載通信装置の電話機能を無効化し、且つ携帯電話装置に当該電話機能を有効化するようにしている。
【特許文献１】特開２００４−１９３６４１
【発明の開示】
【発明が解決しようとする課題】
【０００４】
しかし、従来構成では、電話機能を切り替えるための特定キー操作が面倒で煩わしいという問題があった。
本発明は上述の事情に鑑みてなされたものであり、その目的は、電話機能切り替えを簡単に行なうことができる通信システム及び通信装置を提供することにある。
【課題を解決するための手段】
【０００５】
請求項１の電話通信システムは、同一の電話番号での電話機能が択一的に有効化される一対の通信装置と、この一対の通信装置と無線通信可能で、前記いずれかの通信装置に前記電話機能を択一的に有効化する基地局とを備えた電話通信システムであって、前記一対の通信装置の少なくとも一方に、前記電話機能が有効化されている状態で電源をオフする信号が入力されたときに、電話機能を他方の通信装置に切り替えるための切替指令を、前記基地局に送信する切替指令送信手段を設け、前記基地局に、前記切替指令を受信したときに前記他方の通信装置に電話機能有効化の設定をする有効化切替手段を設けたところに特徴を有する。
【０００６】
この請求項１の発明によれば、一対の通信装置のうち、電話機能が有効化されている一方の通信装置の電源をオフする信号が入力されると、つまり、例えば電源オフスイッチが操作されると、自動的に切替指令が基地局に与えられ、この基地局により他方の通信装置に電話機能が有効化される。従って、電話機能が有効化されている側の通信装置の例えば電源オフスイッチの操作という簡単な操作で、当該通信装置を電話機能無効化できると共に、他方の通信装置を電話機能有効化できる。
【０００７】
この場合、一対の通信装置のうち一方は、携帯電話装置とし、他方は車載通信装置としても良い（請求項２の発明）。このようにすると、携帯電話装置を携帯したユーザーが車両に搭乗し、車載通信装置を自動車電話として使用するときに、電話機能の有効化・無効化の切替を簡単に行なうことができる。
また、前記通信装置が表示手段を備え、電話機能が無効化された通信装置は、電話機能無効の旨を前記表示手段に表示するようにしても良い（請求項３の発明）。このようにすると、電話機能が無効化されたことをユーザーが認識できて、便利である。
【０００８】
さらに、前記通信装置が表示手段を備え、前記有効化切替手段が、前記切替指令を受信したときに他方の通信装置に電話機能有効化の設定をする他、当該他方の通信装置に電話機能有効化通知を送信し、この電話機能有効化通知を受信した通信装置は、電話機能有効の旨を前記表示手段に表示するようにしても良い。このようにすると、電話機能が無効状態であった通信装置が、電話機能有効になったことをユーザーが認識できて、便利である。
【０００９】
請求項５の通信装置は、他の通信装置と同一の電話番号での電話機能が択一的に有効化可能で、自通信装置あるいは前記他の通信装置からの切替指令を受けた基地局を介して当該電話機能の切替が行なわれる通信装置であって、
前記電話機能が有効化されている状態で電源をオフする信号が入力されたときに電話機能を他の通信装置に切り替えるための切替指令を前記基地局に送信する切替指令送信手段を備えたところに特徴を有する。
【００１０】
これによれば、電話機能が有効化されている側の通信装置の電源がオフされる、つまり例えば電源オフスイッチの操作という簡単な操作で、当該通信装置の電話機能を無効化できると共に、他の通信装置の電話機能を有効化できる。
この場合、請求項５の通信装置が、さらに、表示手段を備え、電話機能が無効化されたときに電話機能無効の旨を前記表示手段に表示するようにしても良い（請求項６の発明）。このようにすると、電話機能が無効となったことをユーザーが認識できて、便利である。
【００１１】
また、請求項５又は６の通信装置が、表示手段を備え、電話機能無効化状態で前記基地局から電話機能有効化のための通知が与えられると、電話機能が有効になった旨を前記表示手段に表示するようにしても良い（請求項７）。このようにすると、電話機能無効状態であった通信装置が電話機能有効になったことをユーザーが認識できて、便利である。
【発明を実施するための最良の形態】
【００１２】
以下本発明の一実施例について図面を参照して説明する。図１に示す電話通信システム１は、通信装置たる携帯電話装置２と、車両３に搭載されたこれも通信装置たる車載通信端末４と、基地局５とを備えている。
携帯電話装置２は、制御部６と、操作部７と、携帯通信部８と、マイク９と、スピーカ１０、表示手段たる表示器１１とを備えている。
前記制御部６は、切替指令送信手段に相当するものであり、図示しないが周知のＣＰＵ、ＲＯＭ、ＲＡＭ、入出力インターフェイスなどを備えている。操作部７は多数のキーやスイッチなどを備えて構成されており、電源オンスイッチ（電源をオンする信号を発生する手段）や電源オフスイッチ（電源をオフする信号を発生する手段）も含まれている。また、この操作部７では、電話切替機能を有効化・無効化するためのスイッチ操作が行ない得るようになっている。携帯通信部８は基地局５と図示しない電話網を介して無線通信する。
【００１３】
車載通信装置４は、制御部１２と、操作部１３と、車載通信部１４と、マイク１５と、スピーカ１６と、表示手段たる表示器１７を備えている。
車載通信装置４の前記制御部１２は、図示しないが周知のＣＰＵ、ＲＯＭ、ＲＡＭ、入出力インターフェイスなどを備えている。操作部１３は多数のキーやスイッチなどを備えて構成されており、前述同様に電源オンスイッチや電源オフスイッチも含まれている。また、この操作部１３においても、電話切替機能を有効化・無効化するためのスイッチ操作が行ない得るようになっている。車載通信部１４は基地局５と図示しない電話網を介して無線通信する。マイク１５及びスピーカ１６はハンズフリーにおいて通話するためのものである。
【００１４】
前記携帯電話装置２と車載通信装置４とは同一の電話番号での電話機能が択一的に有効化されるものである。前記基地局５は、この同一の電話番号での電話機能を当該携帯電話装置２と車載通信装置４とのいずれかに択一的に有効化するようになっており、有効化切替手段としての機能を備えている。
【００１５】
さて、前記携帯電話装置２の制御部６及び車載通信装置４の制御部１２には、電話機能有効化・無効化に関連する制御プロブラムが記憶されており、この制御プログラムには切替指令送信手段としての機能が含まれている。この制御プログラムについて図２を参照して説明する。なお、前提設定条件として、車載通信装置４がどの携帯電話装置２に電話機能を切り替えるかは、同じ電話番号を有する装置２、４同士で、ＳＩＭ（Subscriber Identity Module）情報やFeliCa（登録商標）などを用いて予め同一電話番号を使用する紐付け情報を、事前に設定記憶しておくものとする。従って、車載通信装置４は、別の携帯電話装置とも、紐付け情報を保有しておけば、その選択により、他の携帯電話装置との間で別の電話番号での電話機能の切り替えが可能である。
【００１６】
携帯電話装置２に関連する図２のフローチャートにおいて、各ステップについて簡単に述べると、ステップＳ１では、電話切替機能が有効か否かを判断し、ステップＳ２では電話機能無効状態か否かを判断する。ステップＳ３では基地局５から電話機能有効化指令が有るか否かを判断する。ステップＳ４では切替処理つまり電話機能有効化処理を行い、ステップＳ５では表示器１１に電話機能有効の旨を表示する。ステップＳ６では電源オフスイッチが操作されたか否か（電源をオフする信号が入力されたか否か）を判断し、ステップＳ７では電話機能が有効状態か否かを判断する。
【００１７】
ステップＳ８では基地局へ切替指令送信を実行し、ステップＳ９では、切替処理つまり電話機能無効化処理を実行し、ステップＳ１０では、表示器１１に電話機能無効の旨を表示する。ステップＳ１１では、電源オフ処理を実行する。
車載通信装置４に関連する図３のフローチャートも図２にと同じである。但し、ステップＴ５、ステップＴ１０の表示については車載通信装置４の表示器１７に表示するものである。
【００１８】
理解を容易にするために、今、携帯電話装置２が電源オンで、電話切替機能が有効で、電話機能有効状態であるとし、また、車載通信装置４が電源オンで、電話切替機能が有効で、電話機能は無効状態であるとする。
携帯電話装置２においては、図２のステップＳ１で「ＹＥＳ」、ステップＳ２で「ＮＯ」であるから、ステップＳ５で、表示器１１に電話機能が有効状態であることが表示されている。そして、電源オフスイッチが操作されていなければ、ステップＳ１に戻り、ステップＳ１→ステップＳ２→ステップＳ５→ステップＳ６→ステップＳ１のループが実行される。
【００１９】
一方、車載通信装置４においては、電源オンで、電話切替機能が有効で、電話機能が無効状態であるから、ステップＴ１で「ＹＥＳ」、ステップＴ２で「ＹＥＳ」となり、ステップＴ３に移行する。このステップＴ３で「ＮＯ」であれば、ステップＴ６に移行し、このステップＴ６で「ＮＯ」であれば、ステップＴ１に戻り、ステップＴ１→ステップＴ２→ステップＴ３→ステップＴ６→ステップＴ１のループが実行される。
【００２０】
いま、ここで、図４に示すように、ユーザーが電話機能有効状態の携帯電話装置２の電源オフスイッチを操作すると（ステップＲ１）、図２のステップＳ６で「ＹＥＳ」となって、ステップＳ７に移行し、電話機能が有効状態か否かが判断される。この場合、有効状態であるから、ステップＳ８（図４ではステップＲ２）に移行して、基地局５に対して、電話機能を他の通信装置である車載通信装置４に切り替えるための切替指令を送信する。
【００２１】
基地局５では、この切替指令を受信すると、車載通信装置４に電話機能有効化の設定をする（ステップＲ３、有効化切替手段）と共に、当該車載通信装置４に電話機能有効化通知を送信する（ステップＲ４）。
携帯電話装置２では、前記ステップＳ８の後、ステップＳ９（図４ではステップＲ５）で切替処理つまり電話機能無効化処理を実行し、ステップＳ１０（ステップＲ６）で、表示器１１に電話機能が無効である旨を表示し、ステップＳ１１（ステップＲ７）で電源オフ処理を実行する。
一方、車載通信装置４では、ステップＴ３で基地局５からの電話機能有効化通知を受信すると、ステップＴ４（ステップＲ８）で切替処理つまり電話機能有効化処理を実行し、ステップＴ５（ステップＲ９）で電話機能が有効であることを表示器１７に表示する。
【００２２】
なお、車載通信装置４側で電源オフスイッチが操作された場合も、当該車載通信装置４と携帯電話装置２とはその動作が前述と入れ替わるものである。
このような本実施例によれば、携帯電話装置２と車載通信装置４とのうち、電話機能が有効化されている装置について、電源をオフする信号が入力されると、つまり、電源オフスイッチが操作されると、自動的に切替指令が基地局５に与えられ、この基地局５により他方の装置に電話機能が有効化される。従って、電話機能が有効化されている方の装置の例えば電源オフスイッチの操作という簡単な操作で、当該装置の電話機能を無効化できると共に、他方の通信装置の電話機能を有効化できる。
【００２３】
この場合、一対の通信装置のうち一方は、携帯電話装置２とし、他方は車載通信装置４としたから、携帯電話装置２を携帯したユーザーが車両に搭乗し、車載通信装置４を自動車電話として使用するときに、電話機能の有効化・無効化の切替を簡単に行なうことができる。
また、前記携帯電話装置２及び車載通信装置４が表示器１１、１７をそれぞれ備え、電話機能が無効化された装置は、電話機能無効の旨を前記表示器に表示するようにしたから、電話機能が無効化されたことをユーザーが認識できて、便利である。
【００２４】
さらに、基地局５における有効化切替手段が、前記切替指令を受信したときに他方の装置（図４の場合、車載通信装置４）に電話機能有効化の設定をする他、当該他方の装置に電話機能有効化通知を送信し、この電話機能有効化通知を受信した装置は、電話機能有効の旨を当該装置が備えた表示器に表示するから、電話機能が無効状態であった装置が、電話機能有効になったことをユーザーが認識できて、便利である。
【００２５】
なお、本発明は上記実施例に限定されずに次のように適宜変更して実施しても良い。上記実施例では、携帯電話装置２及び車載通信装置４の双方が、切替指令送信手段を備えて、電源オフによって電話機能を自動切換えするようにしたが、この切替指令送信手段は、携帯電話装置２及び車載通信装置４のいずれか一方が備える構成としても良い。また、車載通信装置４は、携帯電話装置２とは別の携帯電話装置と別の電話番号での電話機能を切り替えるようにしても良い。また、電話機能が切り替えられる一対の通信装置としては、携帯電話装置同士の組み合わせでも良い。また車載通信装置としては車載データ通信モジュール（Data Communication Module：DCM）でも良い。
【図面の簡単な説明】
【００２６】
【図１】本発明の一実施例を示す電話通信システムの電気的構成のブロック図
【図２】携帯電話装置側の制御内容を示すフローチャート
【図３】車載通信装置側の制御内容を示すフローチャート
【図４】作用説明のためのシーケンス
【符号の説明】
【００２７】
図面中、１は電話通信システム、２は携帯電話装置（通信装置）、４は車載通信装置（通信装置）、５は基地局（有効化切替手段）、６は制御部（切替指令送信手段）、１１は表示器（表示手段）、１２は制御部（切替指令送信手段）、１７は表示器（表示手段）を示す。
【図１】
2007228236.tif 000003
【図２】
2007228236.tif 000004
【図３】
2007228236.tif 000005
【図４】
2007228236.tif 000006